(57)【要約】【課題】  使用者作成の視標を容易に追加可能にでき、追加視標に対して所定の画像変換処理を容易に行う事が出来る。【解決手段】  視標呈示装置は、ディスプレイと、メーカーが準備した視標を記憶する第１記憶手段と、第１記憶手段の視標を選択する視標選択スイッチと、ディスプレイに表示される視標に対してコントラスト比の変更又は白黒反転する画像変換処理を選択する画像変換処理選択スイッチと、所定のファイル名の視標を記憶する書き込み可能な第２記憶手段と、第２記憶手段の使用者作成の視標を選択する画像選択スイッチと、画像選択スイッチの選択信号に基づいて第２記憶手段から視標を呼び出してディスプレイに表示する制御手段とを有し、制御手段は所定のファイル名が付与された視標が呼び出された時、画像変換処理選択スイッチの信号入力に基づき画像変換した視標をディスプレイに表示する。【選択図】      図４
2010035890.tif 000002
【特許請求の範囲】
【請求項１】
所定の検査距離に設置されて検査視標を表示するディスプレイと、装置メーカーにより準備された複数の検査視標を記憶する第１記憶手段と、該第１記憶手段に記憶された複数の検査視標から一つを選択する視標選択スイッチを持つと共に前記ディスプレイに表示される所定の検査視標に対してそのコントラスト比を変更する画像変換処理又はその検査視標に対して白黒反転する画像変換処理の少なくとも１つを選択する画像変換処理選択スイッチを持つコントローラと、を備える視標呈示装置において、
使用者により作成された検査視標画像を記憶する書き込み可能な第２記憶手段であって、前記画像変換処理選択スイッチの信号入力があったときに画像変換処理を適用させるための所定のファイル名を付与した検査視標画像を記憶する書き込み可能な第２記憶手段と、
前記コントローラに設けられ、前記第２記憶手段に記憶された使用者作成の前記検査視標画像を選択する画像選択スイッチと、
前記画像選択スイッチの選択信号に基づいて前記第２記憶手段から検査視標画像を呼び出して前記ディスプレイに表示させる表示制御手段であって、前記所定のファイル名が付与された検査視標画像を呼び出したときに、前記画像変換処理選択スイッチの信号の入力に基づいて画像変換処理した検査視標画像を前記ディスプレイに表示させる表示制御手段と、
を備えることを特徴とする視標呈示装置。
【請求項２】
請求項１の視標呈示装置において、前記表示制御手段は、前記所定のファイル名が付与されていない検査視標画像を呼び出したときは、前記画像変換処理選択スイッチの信号の入力があっても画像変換処理を施さない検査視標画像を前記ディスプレイに表示させることを特徴とする視標呈示装置。
【請求項３】
請求項１の視標呈示装置において、前記表示制御手段は、前記第２記憶手段から呼び出した検査視標画像を前記ディスプレイに表示させる際に、検査視標画像のファイル名の中に含ませた視標情報を同時に前記ディスプレイに表示させることを特徴とする視標呈示装置。
【請求項４】
請求項１の視標呈示装置は、前記ディスプレイが設置される検査距離を入力する検査距離入力手段を備え、
前記表示制御手段は、前記第２記憶手段から呼び出した検査視標画像を前記ディスプレイに表示させる際に、前記検査距離入力手段により入力された検査距離と前記第２記憶手段に記憶させた検査視標画像のファイル名の中に含ませた検査距離情報とが一致する検査視標画像を前記ディスプレイに表示させることを特徴とする視標呈示装置。
【発明の詳細な説明】
【技術分野】
【０００１】
本発明は、視力検査視標等の検査視標を表示するディスプレイを持つ視標呈示装置に関する。
【背景技術】
【０００２】
従来においては、視標ディスク板に描かれた視標を背後から照明し、投影レンズによりスクリーンに視標を投影する投影タイプの視標呈示装置が広く使用されていた。近年においては、装置本体に設けられたディスプレイに視力検査視標等の種々の検査視標が表示されるディスプレイタイプの視標呈示装置が実用化されている（例えば、特許文献１、２参照）。
【０００３】
このディスプレイタイプの装置においては、ディスプレイに表示される視標を画像処理して色等の変更が可能であり、また、多数の検査視標データを記憶手段に記憶させることができるため、投影タイプの視標呈示装置に比べて視標の表示の自由度が高い。例えば、視機能検査を行うために、白地の背景の中に黒字で表示される視力検査視標について、そのコントラストを複数段階に切換える画像変換処理、白色部分と黒色部分を反転する白黒反転の画像変処理が容易に行える。あるいは、眼の矯正状態が過矯正か否かを確認するレッド・グリーン視標の選択幅を広くするために、白地の背景の中に黒字で表示される視力検査視標について、白地の背景の左側半分を赤色に、白地の背景の右側半分を緑色に変更するＲ−Ｇフィルタの画像変換処理も行える。
【０００４】
また、装置が持つディスプレイを検査用にのみ使用するのではなく、風景等のイメージを壁紙として表示するツール、店舗の宣伝用あるいは被検者への情報伝達用の表示ツールとして使用を可能にするために、市販のパーソナルコンピュータ等で作製したイメージ画像を追加する機能が設けられている。この場合、記憶手段にイメージ画像を記憶させておき、コントローラに設けられた所定の画像呼び出しスイッチにより記憶手段に記憶されたイメージ画像を呼び出し、ディスプレイに表示させることができる。
【特許文献１】特開２００６‐４２９７８号公報
【特許文献２】特開２００８−２３１２９号公報
【発明の開示】
【発明が解決しようとする課題】
【０００５】
ところで、ディスプレイタイプの装置は検査視標の表示の自由度が高いため、使用者は予め装置メーカーが用意した標準の検査視標以外の検査視標を望む場合がある。この対応として、上記した画像追加機能を使用することにより、使用者が作成した検査視標をディスプレイに表示させることが考えられる。
【０００６】
しかし、上記の画像追加機能は、壁紙の表示ツール、宣伝用あるいは情報伝達用の表示ツールとして使用するために設けられたものであり、使用者が検査視標を追加するために使用することは想定されていなかった。このため、装置メーカーが予め用意した検査視標のように、そのコントラスト比変更等の画像変換処理は、記憶手段に追加したイメージ画像には対応していなかった。そのため、コントラスト比の変更、白黒反転を必要とする場合には、それぞれ専用の検査視標のイメージ画像を作成して記憶手段に記憶しなければならず、使用者にとっては手間である。また、コントローラのスイッチの数は限られており、作成したイメージ画像毎にスイッチを割り当てる場合には、多数のスイッチが使われることになり、追加できるイメージ画像の種類が少なくなる。また、追加した検査視標をディスプレイに表示させる際に、その視標の内容を検者が確認でき、検査距離に合致した検査視標であることが望まれる。
【０００７】
本発明は、上記従来技術の問題点に鑑み、使用者が作成した検査視標を容易に追加可能にし、使用者が作成した検査視標に対しても所定の画像変換処理を容易に行える視標呈示装置を提供することを技術課題とする。さらに、使用者が作成した検査視標をディスプレイに表示させた際に、その内容の確認を可能にでき、また、検査距離に合致した検査視標を使用することができる視標呈示装置を提供することを技術課題とする。
【課題を解決するための手段】
【０００８】
上記課題を解決するために、本発明は以下のような構成を備えることを特徴とする。
【０００９】
（１）  所定の検査距離に設置されて検査視標を表示するディスプレイと、装置メーカーにより準備された複数の検査視標を記憶する第１記憶手段と、該第１記憶手段に記憶された複数の検査視標から一つを選択する視標選択スイッチを持つと共に前記ディスプレイに表示される所定の検査視標に対してそのコントラスト比を変更する画像変換処理又はその検査視標に対して白黒反転する画像変換処理の少なくとも１つを選択する画像変換処理選択スイッチを持つコントローラと、を備える視標呈示装置において、使用者により作成された検査視標画像を記憶する書き込み可能な第２記憶手段であって、前記画像変換処理選択スイッチの信号入力があったときに画像変換処理を適用させるための所定のファイル名を付与した検査視標画像を記憶する書き込み可能な第２記憶手段と、前記コントローラに設けられ、前記第２記憶手段に記憶された使用者作成の前記検査視標画像を選択する画像選択スイッチと、前記画像選択スイッチの選択信号に基づいて前記第２記憶手段から検査視標画像を呼び出して前記ディスプレイに表示させる表示制御手段であって、前記所定のファイル名が付与された検査視標画像を呼び出したときに、前記画像変換処理選択スイッチの信号の入力に基づいて画像変換処理した検査視標画像を前記ディスプレイに表示させる表示制御手段と、を備えることを特徴とする。
（２）  （１）の視標呈示装置において、前記表示制御手段は、前記所定のファイル名が付与されていない検査視標画像を呼び出したときは、前記画像変換処理選択スイッチの信号の入力があっても画像変換処理を施さない検査視標画像を前記ディスプレイに表示させることを特徴とする。
（３）  （１）の視標呈示装置において、前記表示制御手段は、前記第２記憶手段から呼び出した検査視標画像を前記ディスプレイに表示させる際に、検査視標画像のファイル名の中に含ませた視標情報を同時に前記ディスプレイに表示させることを特徴とする。
（４）  （１）の視標呈示装置は、前記ディスプレイが設置される検査距離を入力する検査距離入力手段を備え、前記表示制御手段は、前記第２記憶手段から呼び出した検査視標画像を前記ディスプレイに表示させる際に、前記検査距離入力手段により入力された検査距離と前記第２記憶手段に記憶させた検査視標画像のファイル名の中に含ませた検査距離情報とが一致する検査視標画像を前記ディスプレイに表示させることを特徴とする。
【発明の効果】
【００１０】
本発明によれば、使用者が作成した検査視標を容易に追加可能にでき、使用者が作成した検査視標についても、そのコントラスト比の変更又は白黒反転等の所定の画像変化処理が可能になる。さらに、使用者が作成した検査視標をディスプレイに表示させた際に、その内容の確認を可能にでき、また、検査距離に合致した検査視標を使用することができる
【発明を実施するための最良の形態】
【００１１】
以下、本発明の実施例を図面に基づいて説明する。図１は視標呈示装置の概略構成図である。図２は視標呈示装置の制御ブロック図である。図３はリモートコントローラの構成図である。図１において、視標呈示装置の装置本体１０には、カラーの液晶ディスプレイ（以下、ＬＣＤ）１２と、リモートコントローラ（以下、リモコン）２０からの光信号を受信する受信部１４が設けられている。また、装置本体１０の下方には書き込み記憶可能な可搬性の記憶媒体ＣＦを接続するためのスロット（記憶媒体接続ユニット）１３が設けられている。ＬＣＤ１２の表示は制御部１５により制御される。制御部１５には、受信部１４、装置メーカーにより準備された多数の検査視標を記憶するフォルダ１６ａを持つメモリ１６が接続されている。記憶媒体ＣＦには、使用者（検者）が作成したイメージ画像が書き込み記憶される。記憶媒体ＣＦに記憶されたイメージ画像は、リモコン２０の所定の選択スイッチにより呼び出され（装置本体１２に取り込まれ）、ＬＣＤ１２に表示される。
【００１２】
なお、検査視標はＬＣＤ１２の検査距離毎にサイズが異なり、変更可能な設置距離に対応する全ての検査視標の数は非常に多い。そのため、メモリ１６が持つフォルダ１６ａの記憶容量が少ない場合には、記憶媒体ＣＦに使用者（検者）が作成したイメージ画像を記憶させる領域となる登録用フォルダと、装置メーカーが用意した検査視標を記憶させる領域となるメーカー用フォルダとを設け、ＬＣＤ１２の検査距離の設定により、メーカー用フォルダに記憶された検査視標の中から必要な検査視標がメモリ１６のフォルダ１６ａにコピーされて取り込まれる構成としても良い。この場合、記憶媒体ＣＦがスロット１３に接続され、装置本体１の電源が投入されると、制御部１５により自動的にデータの読み込み信号が発せられる。そして、制御部１５により記憶媒体ＣＦのメーカー用フォルダに記憶された検査視標が読み出され、フォルダ１６ａにコピーされる。
【００１３】
さらに、記憶媒体ＣＦの登録用フォルダに記憶されたイメージ画像についても、メモリ１６が持つ登録用フォルダ１６ｂにコピーして取り込まれる構成でも良い。こうすると、制御部１５がリモコン２０の選択信号に基づいて記憶媒体ＣＦにイメージ画像を直接読み出しにいく場合に比べて、その読み出し速度が速く、ＬＣＤ１２にスピーディに選択されたイメージ画像を表示できる。
【００１４】
フォルダ１６ａに記憶される装置メーカーが準備した視標としては、屈折力検査のための視力値視標、乱視検査のための放射線視標および点群視標、球面調整用のクロスグリッド視標の他、両眼視機能検査のための精密立体視視標等、各種検査視標を構成する視標データが所定の検査距離毎に記憶されている。検査距離は、例えば２．５〜６ｍまで、０．５ｍステップで設定可能にされている。なお、検査距離は装置本体１０に設けられているファンクションスイッチ１１の操作によって設定される。また、視力値視標としては、ランドルト環視標、ひらがな視標、英字視標、数字視標、鳥や花などのイラストからなる絵視標等の様々な種類が記憶されている。
【００１５】
記憶媒体ＣＦに装置メーカーが準備した視標データが記憶されている構成においては、記憶媒体ＣＦがスロット１３に接続されることによって制御部１５によりそのデータが呼び出され、メモリ１６のメーカー用フォルダ１６ａにコピーされ、装置本体１０に取り込まれる。なお、記憶媒体ＣＦ及びメモリ１６の記憶領域については、必ずしもメーカー用フォルダ、使用者の登録用フォルダが区分けされる必要は無いが、これらの記憶領域が分けられていると都合が良い。メーカー用フォルダと登録用フォルダとの記憶領域が分けられていることによって、メーカー側が準備した視標データと検者によって登録されたイメージ画像とが混同されることを避け、検者が誤ってメーカー側で準備したイメージ画像を消去または変更してしまうというトラブルを避けることができる。
【００１６】
図３のリモコン２０の構成図において、リモコン２０には、視標選択信号を光信号により送信するための通信窓２０ａと、呈示視標及び操作情報等を表示する液晶ディスプレイ２１と、ＬＣＤ１２に表示される視標を選択するスイッチを含む各種のスイッチと、が配置されている。
【００１７】
スイッチパネル２２に配置された１８個のスイッチは、フォルダ１６ａに記憶されている視力値検査視標及び記憶媒体ＣＦに記憶された使用者の作成画像（検査視標）を選択するときに使用される。スイッチ２４は、スイッチパネル２２の１８個のスイッチにより選択される視標の種類のモードを切換えるときに使用される。スイッチパネル２２のスイッチにより選択可能な視標の種類のモードは、スイッチ２４が押される毎に、ランドルト環視標モード、ひらがな視標モード、英字視標モード、数字視標モード、絵視標モード及び登録画像モード（使用者により任意に設定されたイメージ画像を選択可能にするモード）の順に切換えられる。
【００１８】
なお、スイッチパネル２２の１８個のスイッチがフォルダ１６ａに設定されている場合には、右列の６個のスイッチは、上から順に、視力値０．０３、０．０４、０．０５、０．０６、０．０８、０．１に対応している。中央列の６個のスイッチは、上から順に、視力値０．２、０．３、０．４、０．５、０．６、０．７に対応している。左列の６個のスイッチは、上かから順に、視力値０．８、０．９、１．０、１．２、１．５、２．０に対応している。
【００１９】
一方、スイッチパネル２２により選択される視標が登録画像モードに設定されている場合には、スイッチパネル２２の１８個のスイッチによって、記憶媒体ＣＦ（又は登録用フォルダ１６ｂ）に保存されているイメージ画像のうち、各スイッチと対応したファイル名のイメージ画像が呼び出される。ここでは、各スイッチの右横に記載された番号（１、２、…、１８）とイメージ画像に付与されたファイル名「ｋ００１」、「ｋ００２」、…、「ｋ０１８」とが予め対応付けられている事とする。なお、ファイル名の設定方法については後述する。
【００２０】
スイッチパネル２５に配置された９個のスイッチは、放射線視標、両眼視機能検査視標等の特殊視標を選択するときに使用される。スイッチ２６は、視力値を１ステップずつ増減させるときに使用される。スイッチパネル２７に４方向に配置されたスイッチは、イメージ画像の方向（例えば、ランドルト環視標の切れ目の方向）を選択するときに使用される。
【００２１】
また、ＬＣＤ１２に表示される検査視標に対して、そのコントラスト比を変更する画像処理を選択するスイッチ３０、白黒反転の画像変換処理を選択するスイッチ３１、Ｒ−Ｇフィルタの画像変換処理を選択するスイッチ３２がリモコン２０に配置されている。スイッチ３０が選択されると、フォルダ１６ａの視標及び登録画像の内で対応するものに対して、白色と黒色とのコントラスト比が変更される。例えば、スイッチ３０が押される毎に、コントラスト比は２５％、１２．６％、６％、ＯＦＦ（通常点灯）、２５％、・・・と順次切換えられる。なお、ここでのコントラスト比は、白色を０％（基準）としたときの黒色の色合いの割合で示されている。
【００２２】
スイッチ３１が選択されると、ＬＣＤ１２に表示されている視標の白色部分と黒色部分の色が反転する。なお、スイッチ３１が押される度に白色と黒色部分が交互に反転する。スイッチ３２が選択されると、白地を持つ視標に対して、白地の背景の左側半分に赤色のフィルタが、右側半分に緑色のフィルタがかけられる。再びスイッチ３２が押されると、呈示視標にかけられたフィルタが解除される。
【００２３】
なお、各スイッチからの切換え信号は、一旦、制御ユニット２９に入力され、通信窓２０ａからスイッチに対応した所定コードの光信号に変換されて送信される。装置本体１０側の受信部１４で受信された信号は、制御部１５へ入力される。制御部１５は受信信号に基づいて、メモリ１６（メーカー用フォルダ１６ａ、登録用フォルダ１６ｂ）又は直接記憶媒体ＣＦから視標等のイメージ画像を呼び出し、ＬＣＤ１２の表示を制御して視標を呈示させる。
【００２４】
次に、使用者がイメージ画像を作成し、そのイメージ画像を記憶媒体ＣＦに記憶させる場合について説明する。使用者が視力値視標、特殊視標その他の情報伝達用のイメージ画像を作成する場合、市販のパーソナルコンピュータが持つ一般的な画像編集ソフトを使用して作成することができる。視力値視標の作成においては、検査距離毎に視標サイズに規格が定められているので、その規格に合わせたサイズで作成する。すなわち、ＬＣＤ１２の設置距離である検査距離と視力値とにより視標サイズが決定される。その視標サイズを満たすべく、ＬＣＤ１２が持つ画素サイズに基づいて視標を構成する画素数とその配置を決定する。なお、使用者が検査視標の規格の知識に乏しい場合は、専門化又は装置メーカーの助けを借りて作成するか、製造メーカーに依頼することが好ましい。使用者が作成した視標のイメージ画像データは、パーソナルコンピュータが持つライター機能により記憶媒体ＣＦに記憶さることができる。検者が記憶媒体ＣＦに記憶させるときは、所定の圧縮形式（例えば、ＪＰＥＧ、ビットマップ等）を使用可能である。
【００２５】
使用者が作成したイメージ画像について、前述のスイッチパネル２２の１８個の各スイッチに対応させて選択可能にし、且つスイッチ３０，３１及び３２が選択され、その画像変換処理が施されたイメージ画像を表示可能にする場合、各イメージ画像データには装置メーカーが予め設定した所定のファイル名を付与する。例えば、ファイル名の末尾の文字列によってスイッチパネル２２のスイッチとの対応関係が決定し、ファイル名の先頭が特定の文字列から始まる場合に画像変換処理を有効にできる。ここでは、ファイル名の末尾４桁の文字列が「ｋ００１」〜「ｋ０１８」である場合に各スイッチとの対応関係が認識され、ファイル名の先頭が「ＶＡ」の文字列から始まる場合に画像変換処理が有効になるとする。なお、ファイル名の設定のルールは視標呈示装置の取扱説明書などに記載しておくことによって、使用者は装置メーカーが予め設定した所定のファイル名を付与することができる。
【００２６】
例えば、「ＶＡ＿・・・＿ｋ００１」というファイル名がイメージ画像に付与されて記憶媒体ＣＦに記憶されると、制御部１５はファイル名の先頭の文字列「ＶＡ」により画像変換処理を適用するものと判断し、ファイル名の末尾の文字列「ｋ００１」によりイメージ画像が割り当てられるスイッチを決定する。ここではスイッチ２２ａに割り当てられる。なお、イメージ画像のファイル名が「ＩＭＡＧＥ＿ｋ００２」のように、先頭が「ＶＡ」以外の文字列から始まる場合には、制御部１５は画像変換処理が無効であると判断する。また、ファイル名の末尾４桁の文字列が「ｋ００１」〜「ｋ０１８」以外の場合には、スイッチパネル２２との対応が認識されないため、作成画像はスイッチパネル２２の１８個には割り当てられず、スイッチ２３によるスライドショー表示に適用される。スライドショーでは、作成画像が一定時間毎に切換えてＬＣＤ１２に表示される。
【００２７】
このように、作成画像に付けられたファイル名によって、スイッチ３０，３１及び３２が選択された場合の画像変換処理の有効と無効とが設定されることによって、記憶媒体ＣＦ又は登録用フォルダ１６ｂに記憶されたイメージ画像に対して誤って画像変換処理が設定されて使用されることが防止される。眼のコントラスト感度を検査するために視標のコントラスト比を変更する画像変換処理、及び弱視検査のために視標の白黒を反転する画像変換処理について対象となる検査視標は、視力値視標である。一方、視力値視標以外の立体視視標等の特殊視標は、コントラスト比の変更及び白黒反転の画像変換処理は、基本的に適用されない視標である。例えば、イメージ画像として立体視視標（特殊視標）が追加されたとする。立体視視標により立体視検査を行う場合の視標と背景とのコントラスト比は決まっている。仮に、登録された全てのイメージ画像に対して画像変換処理が設定できるとすると、誤って立体視視標のコントラスト比を変えてしまう可能性がある。誤った表示状態の視標を用いて検査が行われると、正確な検査結果が得られない。また、記憶媒体ＣＦ等に記憶されるイメージ画像の中には、壁紙用、店舗の宣伝用あるいは被検者への情報伝達用として用意されたものがある。これらにコントラスト比変更、白黒反転等の画像変換処理が誤って適用されてしまうと、本来の意図した正しい色の表示が行われなくなってしまう。これらを防止するために、記憶媒体ＣＦ等に書き込み記憶させるメージ画像について、前述のようにファイル名によって画像変換処理が有効であるものと無効であるもの区別することによって、知識の乏しい検者でも、登録したイメージ画像を正しく使用できるようになり、間違った設定で検査が行われることが防止される。
【００２８】
また、イメージ画像が選択されてＬＣＤ１２に表示される場合に、ファイル名「ＶＡ」と「ｋ００１」〜「ｋ０１８」以外の文字列がＬＣＤ１２に表示されるようにすると、検者がその視標の内容を把握しやすくなる。メーカー用のフォルダ１６ａの視標が選択されると、リモコンの液晶ディスプレイ２１上には視力値等の視標情報が表示される。一方、使用者が追加したイメージ画像については、そのイメージ画像が選択されても液晶ディスプレイ２１上にはイメージ画像の情報は表示されない。そこで、登録用フォルダ１６ｂ又は記憶媒体ＣＦに追加されたイメージ画像が選択された場合に、ＬＣＤ１２上に表示される視標のイメージ画像に加えて、ファイル名の中に含ませた視標情報もＬＣＤ１２に表示されるようにすると、使用者（検者）は選択されたイメージ画像の内容を簡単に確認できるようになる。
【００２９】
例えば、イメージ画像が視力値視標の場合のファイル名が「ＶＡ＿６ｍ＿Ｃ‘ｓ＿０．０１５＿ｋ００１」の場合には、図４に示すように、ＬＣＤ１２上に表示される視標のイメージ画像４０に加えて、「ＶＡ」と「ｋ００１」との間の検査距離（６ｍ）、視標の種類（Ｃ‘ｓ）、視力値（０．０１５）を表す文字列「６ｍ＿Ｃ’ｓ＿０．０１５」の表示４１が表示される。また、イメージ画像が特殊視標（例えば、十字視標）の場合にも、ファイル名が「Ｐｈｏｒｉａ．ｋ００３」の場合には、ＬＣＤ１２に「Ｐｈｏｒｉａ」と上書きされることによって、検者が容易に選択されたイメージ画像の内容を確認できるようになる。
【００３０】
また、以上のようにファイル名として記載される情報が決められている場合には、選択されたイメージ画像の検査距離を装置本体１に認識させるようにしても良い。例えば、ファイル名が「視標の判別＿検査距離＿視標情報＿スイッチとの対応関係」で構成されると決められていると、制御部１５は検査距離を表す文字列を認識できるようになる。例えば、装置本体１（ＬＣＤ１２）の検査距離が６ｍにファンクションスイッチ１１により入力されて設定されている場合に、制御部１５はその検査距離とイメージ画像のファイル名に付された距離に基づき、スイッチパネル２２のスイッチにより選択されたイメージ画像について、ファイル名に「６ｍ」文字列が含まれているイメージ画像のみをＬＣＤ１２に表示させ、それ以外のものは表示させない。これにより、検者が誤った検査距離のイメージ画像を選択することが防止できる。
【００３１】
次に、使用者によって追加されるイメージ画像の例について説明する。メーカー用フォルダ１６ａに視力値０．０３〜２．０のランドルト環視標が予め用意されていることとする。一般の被検者に対してはこれらの視標を用いて視力検査が行われるが、低視力の被検者の場合には、これらの視標の視力値では十分な検査結果が得られない場合がある。その場合には、従来では、検者は被検者を所定の検査距離からＬＣＤ１２に近づく方向（前方）に次第に移動させて、視標が確認できた位置でのＬＣＤ１２から被検者までの距離と呈示視標の視力値とから、被検者の視力値を算出していた。しかし、被検者を前方に移動させながら視力検査を行うため、検査に時間がかかってしまい、被検者の負担となっていた。また、検者にとっても検査距離に応じて視力値を算出することは手間である。
【００３２】
そこで、イメージ画像の追加登録機能によって、メーカーに用意された最も低い視力値よりも、更に低い視力値の視標が追加されると都合が良い。装置本体１の検査距離が比較的短く（例えば、３ｍ）設定されている場合には、メーカー用フォルダ１６ａに用意された最もサイズの大きい（低い視力値）視標よりも、更にサイズの大きい（低視力値の）視標を表示できる。ここでは、装置本体１の検査距離が３ｍに設定されているときに、視力値０．０１５のランドルト環視標を登録する場合について説明する（図４参照）。
【００３３】
視力値０．０１５のランドルト環視標のイメージ画像は、前述のように一般的な画像編集ソフト等を用いて作成される。作成されたイメージ画像にはメーカーにより予め決められた規則に基づいたファイル名が付けられて保存される。ここでは、イメージ画像に「ＶＡ＿３ｍ＿Ｃ‘ｓ＿０．０１５＿ｋ００１」とファイル名を付けて、記憶媒体ＣＦに記憶させる。なお、ファイル名の末尾の文字列はパーソナルコンピュータ等によって編集することができ、検者はイメージ画像をスイッチパネル２２の所期するスイッチに割り当てることができる。ここでは、ファイル名に文字列「ｋ００１」を付けて、スイッチパネル２２のスイッチ２２ａに割り当てている。
【００３４】
次に、装置本体１に追加された低視力値のイメージ画像を用いて、視力検査を行う場合について説明する。まず、検者は、スイッチ２４の操作によって、スイッチパネル２２で選択されるフォルダをメーカー用フォルダ１６ａに設定する。そして、スイッチパネル２２の操作によって、所期の視力値の視標をＬＣＤ１２に表示して視力検査を開始する。被検者に視標の方向が判断できるかを確認しながら、リモコン２０の操作により次第に視力値を変えていく。メーカー用フォルダ１６ａに用意されている最も低い視力値（ここでは、視力値０．０３）の視標を呈示した場合に、被検者が視標の方向が判読できなかった場合には、次のようにして、記憶媒体ＣＦ又は登録フォルダ１６ｂに保存した低視力の視標（ここでは、視力値０．０１５）を用いて視力を検査する。
【００３５】
検者はスイッチ２４の操作によって、スイッチパネル２２のスイッチを登録画像モードに設定する。そして、登録したイメージ画像を呼び出すためにスイッチ２２ａを選択する。制御部１５がリモコン２０からの信号を受信すると、登録用フォルダ１６ｂに保存されているファイル名の末尾の文字列（ｋ００１）から、スイッチ２２ａに対応するデータが呼び出され、ＬＣＤ１２上にランドルト環視標４０を表示させる（図４（ａ）参照）。
【００３６】
なお、前述で述べたように、スイッチパネル２２のスイッチが登録画像モードに設定されている時には、液晶ディスプレイ２１にイメージ画像の情報は表示されないので、ここでは、文字列「３ｍ＿Ｃ’ｓ＿０．０１５」が情報４１としてＬＣＤ１２の画面右下に上書きされることとする。検者はＬＣＤ１２に表示された視標情報４１から視標が正しく表示されていることを確認して、被検者に回答を促す。
【００３７】
以上のように、メーカー用フォルダ１６ａに用意されていない、低視力値の視標を登録すると、被検者を所定の検査距離に位置させたまま視力検査を進めることができるようになる。
【００３８】
また、記憶媒体ＣＦ又は登録用フォルダ１６ｂに追加された低視力値のイメージ画像は弱視検査にも使用される。一般的に弱視者の視力値は低いが、弱視の原因には様々な分類がある。例えば、眩しさが影響する眼疾患である中間透光体混濁、全色盲、虹彩欠損による弱視では、白色背景に黒字で書かれた視標よりも、黒色背景に白地で書かれた視標の方が良い結果が得られることがある。そこで、弱視の原因について、眩しさが影響する眼疾患による視力低下であるのか、その他の眼疾患が影響しているのか、被検者の弱視の原因を予測するために、画像変換処理の白黒反転を利用して見え方が変わるかを比較する検査が行われる。
【００３９】
スイッチパネル２２のスイッチが登録画像モードに設定されている状態で、スイッチ２２ａを選択して、ＬＣＤ１２に視力値０．０１５のランドルト環視標４０を表示させる。ここで白色背景での被検者の応答を確認して、次に、白黒反転スイッチ３１を選択する。白黒反転スイッチ３１からの切換え信号が制御部１５に入力されると、制御部１５はファイル名の先頭の文字列「ＶＡ」によって、イメージ画像であると判定し、ＬＣＤ１２の表示を制御して、背景の白色部分と視標の黒色部分とを反転させて、図４（ｂ）に示すように、黒色の背景に白色の視標を表示させる。そして、検者は被検者に対して視標の色を反転させる前後での見え方を比較させる。このときの、視標の見え方の変化により、眩しさが影響する眼疾患による弱視の可能性を検査できる。
【００４０】
以上のように、記憶媒体ＣＦ又は登録用フォルダ１６ｂに追加されたイメージ画像に対して、装置本体１に用意された画像変換処理を使用することによって、１つのイメージ画像を複数の検査に使用できるようになる。
【００４１】
なお、ＬＣＤ１２の画面右下に視標情報４１が上書きされている場合には、白黒反転設定スイッチ３１が選択されたときに、視標情報４１の色も白色に反転させると、背景が黒色の状態でも視標情報４１を確認できるようになる。
【００４２】
また、この他にも、装置本体１に用意されていない様々な視標を登録することによって、より検者のニーズに応じた視力検査が行えるようになる。
【００４３】
例えば、ＥＴＤＲＳ（糖尿病性網膜疾患早期治療研究）チャートは、従来の視力表に比べて低視力者における僅かな視力変化を検出できるので、一部の糖尿病性網膜症例の視力評価、各種眼科手術後の術前・術後の評価、低視力者の定量評価などに使用されている。ＥＴＤＲＳチャートは複数の視標から構成されており、同じ視力値の視標が１行に５視標呈示され、同じ視力値の視標の左右間隔は視標の外形寸法と同じく、視標の上下間隔は下側の視標の外形寸法と同じに配置されている（図５参照）。
【００４４】
以上のようなＥＴＤＲＳチャートは、例えば、日本国向けの視標呈示装置には、ランドルト環視標で構成されたＥＴＤＲＳチャートが用意されており、欧米向けの視標呈示装置には、英字視標から構成されたＥＴＤＲＳチャートが用意されている。しかし、被検者の中には用意されたＥＴＤＲＳチャートの視標の種類に慣れていない人もいる。そこで、他の種類の視標で構成されたＥＴＤＲＳチャートを追加すると、このような被検者に対してＥＴＤＲＳチャートを用いた検査が行えるようになる。
【００４５】
ここでは、Ｅチャートで構成されたＥＴＤＲＳチャートを登録する場合について説明する。前述の方法で作成されたＥＴＤＲＳチャートに「ＶＡ＿ＥＴＤＲＳ＿ｋ００２」というファイル名を付けて、記憶媒体ＣＦ又は登録用フォルダ１６ｂに保存する。ここではＥＴＤＲＳチャートはファイル名の「ｋ００２」の文字列によってスイッチ２２ｂと対応させられる。スイッチ２４によってスイッチパネル２２を登録画像モードに設定し、ここで、スイッチ２２ｂによりＥＴＤＲＳチャートが選択されると、制御部１５は記憶媒体ＣＦ又は登録用フォルダ１６ｂから該当するファイル名を検索して、ＬＣＤ１２上にＥＴＤＲＳチャート５０を表示させる（図５参照）。
【００４６】
ＥＴＤＲＳチャート５０を用いて白内障の進行または術後の経過を確認するための視力検査を行う場合には、スイッチ３０を選択してコントラスト比の変更を行う。制御部１５は、スイッチ３０からの切換え信号を受信すると、ファイル名の先頭の文字列「ＶＡ」によって画像変換処理が有効であると判断し、ＬＣＤ１２の表示を制御し、ＥＴＤＲＳチャートの白色と黒色とのコントラストの比率を２５％に設定する。以降、スイッチ３０を押す毎に、白色と黒色とのコントラスト比が、１２．５％、６％、通常点灯、・・・となるようにＬＣＤ１２の表示が制御されるので、検者はコントラストの比率を変えることによって経過の観察を行う。
【００４７】
また、図５のＥＴＤＲＳチャート５０を呈示させた状態で、Ｒ−Ｇフィルタスイッチ３２が選択されると、ＥＴＤＲＳチャート５０の左半分の背景が赤色に表示され、右半分の背景が緑色に表示され、使用者が追加したＥＴＤＲＳチャート５０を用いて、球面調整又は過矯正の検査を簡単に行う事ができる。
【００４８】
また、装置本体において、ＬＣＤ１２に呈示される視標の順番が予め決められているプログラム測定の機能がある場合には、記憶媒体ＣＦ又は登録用フォルダ１６ｂに追加されたイメージ画像をプログラム測定の検査手順に組み込むこともできる。プログラム測定を行う際には画像変換処理を設定することができるが、このとき、ファイル名に「ＶＡ」の文字列を含むイメージ画像が追加されている場合には同様の設定が適用される。一方、ファイル名に「ＶＡ」の文字列を含まないイメージ画像に対しては、画像変換処理機能は設定されない。
【００４９】
以上のように、追加されたイメージ画像のファイル名によって、装置本体に設けられている白黒反転、コントラスト比の変更、Ｒ−Ｇフィルタ等の画像変換処理機能が有効であるか無効であるかが決まるので、記憶媒体ＣＦ又は登録用フォルダ１６ｂに登録したイメージ画像のうち、特殊視標等の画像変換処理を適用できないものに対して、誤って画像変換処理が設定されることが防止される。また、記憶媒体ＣＦ又は登録用フォルダ１６ｂに登録したイメージ画像のうち、画像変換処理が有効となるイメージ画像については、１つのスイッチにイメージ画像を割り当てることで異なる検査にも利用できるようになる。そのため、検査条件毎にイメージ画像を用意する場合に比べて、リモコンのスイッチが効率よく使われるので、より多種類の検査視標が登録されるようになる。なお、コントラスト比の変更、白黒反転、Ｒ−Ｇフィルタの画像変換処理は、必ずしも全てが必要でなく、少なくとも一つが可能にされていても良い。
【図面の簡単な説明】
【００５０】
【図１】視標呈示装置の概略構成図である。
【図２】視標呈示装置の制御ブロック図である。
【図３】リモートコントローラの構成図である。
【図４】登録用フォルダに低視力値のランドルト環視標を登録する例である。
【図５】登録用フォルダにＥＴＤＲＳチャートを登録する例である。
【符号の説明】
【００５１】
１０  装置本体
１１  ファンクションスイッチ
１２  液晶ディスプレイ
１５  制御部
１６  メモリ
１６ｂ  登録用フォルダ
【図１】
2010035890.tif 000003
【図２】
2010035890.tif 000004
【図３】
2010035890.tif 000005
【図４】
2010035890.tif 000006
【図５】
2010035890.tif 000007